(57)【要約】【課題】  エアゾール容器の胴部に記載された用途、使用方法、成分、使用上の注意などの文字や絵などを拡大することができるエアゾール容器用のキャップを提供すること。【解決手段】  エアゾール容器に着脱自在に取り付けられるキャップ１０に拡大レンズ部１３を設けるようにする。  これにより、エアゾール容器から取り外したキャップ１０の拡大レンズ部１３でエアゾール容器の胴部に印刷されている文字などを拡大して読みやすくでき、エアゾール容器と一緒になっているので、必要なときにいつでも使用でき、拡大して読みやすくできるようになる。【選択図】  図１
0003102325.tif 000002
【実用新案登録請求の範囲】
【請求項１】
エアゾール容器に着脱自在に取り付けられるキャップに拡大レンズ部を設けたことを特徴とするエアゾール容器用のキャップ。
【請求項２】
前記拡大レンズ部が前記キャップの天面部に配置されてなることを特徴とする請求項１記載のエアゾール容器用のキャップ。
【請求項３】
前記拡大レンズ部が前記キャップの天面部の一部分に配置されてなることを特徴とする請求項1または２記載のエアゾール容器用のキャップ。
【請求項４】
前記拡大レンズ部をフレネルレンズで構成したことを特徴とする請求項１〜３のいずれかに記載のエアゾール容器用のキャップ。
【請求項５】
前記拡大レンズ部を前記キャップから分離可能に構成したことを特徴とする請求項１〜４のいずれかに記載のエアゾール容器用のキャップ。
【考案の詳細な説明】
【技術分野】
【０００１】
この考案はエアゾール容器用のキャップに関し、エアゾール容器の胴部に記載された用途、使用方法、成分、使用上の注意などの文字や絵などを拡大することができるようにしたキャップに関するものである。
【背景技術】
【０００２】
従来からエアゾール容器には、用途、使用方法、成分、使用上の注意などの文字や絵などが胴部側面に印刷されている。
【０００３】
一方、エアゾール容器では、バルブが突出している場合には、バルブを保護する措置を講じることが法上義務づけられており、キャップを被せるようにしている。
【０００４】
このようなキャップの機能として取扱いの便利性を増すため、バルブを保護する機能に他の機能を付加するようにしたものがあり、例えば特許文献１には、使用後のガス抜きの機能を付加したものが提案されている。
【特許文献１】特開平１０−５３２８９号公報
【考案の開示】
【考案が解決しようとする課題】
【０００５】
ところが、近年、エアゾール容器に印刷すべき情報が多く、小さな文字などで印刷されることも多く、読みにくいという問題があり、特にエアゾール容器の径が小さいものでは、一層小さな文字などにせざるを得ず、さらに読みにくくなるという問題がある。
【０００６】
そこで、めがねや拡大鏡などを用意することなく使用前にエアゾール容器に印刷してある情報を簡単に読み取ることができるようにしたものの開発が望まれている。
【０００７】
この考案は、上記従来技術の課題と要望に鑑みてなされたもので、エアゾール容器の胴部に記載された用途、使用方法、成分、使用上の注意などの文字や絵などを拡大することができるエアゾール容器用のキャップを提供しようとするものである。
【課題を解決するための手段】
【０００８】
上記従来技術の有する課題を解決するためこの考案の請求項１記載のエアゾール容器用のキャップは、エアゾール容器に着脱自在に取り付けられるキャップに拡大レンズ部を設けたことを特徴とするものである。
【０００９】
このエアゾール容器用のキャップによれば、エアゾール容器に着脱自在に取り付けられるキャップに拡大レンズ部を設けるようにしており、エアゾール容器から取り外したキャップの拡大レンズ部でエアゾール容器の胴部に印刷されている文字などを拡大して読みやすくでき、エアゾール容器と一緒になっているので、必要なときにいつでも拡大して読みやすくできるようになる。
【００１０】
また、この考案の請求項２記載のエアゾール容器用のキャップは、請求項１記載の構成に加え、 前記拡大レンズ部が前記キャップの天面部に配置されてなることを特徴とするものである。
【００１１】
このエアゾール容器用のキャップによれば、前記拡大レンズ部が前記キャップの天面部に配置してあり、キャップの胴部を持って虫眼鏡のようにして使用できるようになる。
【００１２】
さらに、この考案の請求項３記載のエアゾール容器用のキャップは、請求項1または２記載の構成に加え、前記拡大レンズ部が前記キャップの天面部の一部分に配置されてなることを特徴とするものである。
【００１３】
このエアゾール容器用のキャップによれば、前記拡大レンズ部が前記キャップの天面部の一部分に配置してあり、これによっても文字などを拡大できるようになる。
【００１４】
また、この考案の請求項４記載のエアゾール容器用のキャップは、請求項１〜３のいずれかに記載の構成に加え、前記拡大レンズ部をフレネルレンズで構成したことを特徴とするものである。
【００１５】
このエアゾール容器用のキャップによれば、前記拡大レンズ部をフレネルレンズで構成してあり、拡大レンズ部を薄くすることができるようになる。
【００１６】
さらに、この考案の請求項５記載のエアゾール容器用のキャップは、請求項１〜４のいずれかに記載の構成に加え、前記拡大レンズ部を前記キャップから分離可能に構成したことを特徴とするものである。
【００１７】
このエアゾール容器用のキャップによれば、前記拡大レンズ部を前記キャップから分離可能に構成してあり、拡大レンズ部だけを分離して使用することができ、エアゾール容器での必要がなくなった場合でも有効に利用できるようになる。
【考案の効果】
【００１８】
この考案の請求項１記載のエアゾール容器用のキャップによれば、エアゾール容器に着脱自在に取り付けられるキャップに拡大レンズ部を設けるようにしたので、エアゾール容器から取り外したキャップの拡大レンズ部でエアゾール容器の胴部に印刷されている文字などを拡大して読みやすくすることができ、しかもエアゾール容器と常に一緒になっているので、必要なときにいつでも拡大して読みやすくすることができる。
【００１９】
また、この考案の請求項２記載のエアゾール容器用のキャップによれば、前記拡大レンズ部を前記キャップの天面部に配置したので、キャップの胴部を持って虫眼鏡のようにして使用することができ、誰でも簡単に使用することができる。
【００２０】
さらに、この考案の請求項３記載のエアゾール容器用のキャップによれば、前記拡大レンズ部を前記キャップの天面部の一部分に配置したので、これによっても文字などを拡大することができる。
【００２１】
また、この考案の請求項４記載のエアゾール容器用のキャップによれば、前記拡大レンズ部をフレネルレンズで構成したので、拡大レンズ部を薄くすることができるとともに、軽量化を図ることができる。
【００２２】
さらに、この考案の請求項５記載のエアゾール容器用のキャップによれば、前記拡大レンズ部を前記キャップから分離可能に構成したので、拡大レンズ部だけを分離して使用することができ、エアゾール容器での必要がなくなった場合でも廃棄することなく有効に利用することができる。
【考案を実施するための最良の形態】
【００２３】
以下、この考案の実施の形態を図面に基づき詳細に説明する。  
図１はこの考案のエアゾール容器用のキャップの一実施の形態にかかる平面図および断面図である。
【００２４】
このエアゾール容器用のキャップ１０は、底付きの円筒状のプラスチック製のキャップ本体１１を備えており、先端外周部１２を図示しないエアゾール容器に嵌合することでマウンティングカップ部分のみを覆うように形成したり、目金部全体を覆うように形成してある。
【００２５】
このキャップ本体１１のエアゾール容器への嵌合方法は、マウンティングカップの外側嵌合やマウンティングカップの内側嵌合のいずれであっても良く、内コアーのない図示例のものに限らず、内コアーのあるものであっても良い。
【００２６】
さらに、このキャップ本体１１のエアゾール容器への嵌合方法は、容器巻き締め部嵌合、スナップ嵌合、ネックイン缶嵌合などとして目金部全体を覆うようにして着脱できるようにしたものであっても良い。
【００２７】
このエアゾール容器用のキャップ１０では、キャップ本体１１の底部分である天面部１１ａに拡大レンズ部１３が設けられており、図１に示すように、凸レンズが天面部１１ａの全体に形成してある。
【００２８】
したがって、エアゾール容器からキャップ１０を取り外し、キャップ本体１１の天面部１１ａの拡大レンズ部１３をエアゾール容器の側面の文字や絵などの印刷に向けるようにすることで、文字や絵などを拡大することができ、読みやすくすることができる。特に、エアゾール容器が細いものでは、小さな文字などで印刷されていることが多く、このような場合の読み取りに有効である。
【００２９】
また、キャップ本体１１の天面部１１ａの全体を拡大レンズ部１３としているので、凸レンズが大きく使いやすいものとなる。
【００３０】
次に、この考案の他の一実施の形態について図２により説明する。  
このエアゾール容器用のキャツプ２０では、キャップ本体１１の天面部１１ａに形成する拡大レンズ部２１が天面部１１ａの一部分にのみ凸レンズが形成してある。  
なお、構成は既に説明した上記実施の形態と同一である。
【００３１】
このようなエアゾール容器用のキャップ２０によれば、キャップ２０をエアゾール容器から取り外して拡大レンズ部２１をエアゾール容器の側面に向けることで、文字などを拡大することができ、読みやすくすることができる。
【００３２】
また、拡大レンズ部２１を天面部１１ａの一部分にのみ形成することで、大きな倍率にしても使用材料を抑えることができ、安価にできる。
【００３３】
次に、この考案のさらに他の一実施の形態について図３により説明する。  
このエアゾール容器用のキャップ３０では、キャップ本体１１の天面部１１ａに形成する拡大レンズ部１３を廃棄する場合などに分離することができるようにしたもので、虫メガネとして再利用できるようにする。
【００３４】
このため、キャップ本体１１の天面部１１ａの拡大レンズ部１３の周囲に一部分を残してスコアなどの切り取り部３１を設けるとともに、切り残す部分からキャップ本体１１の側面に取っ手３２となる部分が連続するように両側に切り取り部３３が形成してある。
【００３５】
したがって、このエアゾール容器用のキャップ３０では、既に説明したキャップ１０と同様にしてキャップ本体１１の天面部１１ａの拡大レンズ部１３でエアゾール容器の側面に印刷されている文字などを拡大して読み取ることができる。
【００３６】
さらに、このエアゾール容器用のキャップ３０では、エアゾール容器を廃棄する場合などには、切り取り部３３および切り取り部３１を使って拡大レンズ部１３および取っ手３２を分離することができ、取っ手３２を曲げ戻すことで虫メガネとして再利用することができる。
【００３７】
なお、上記各実施の形態では、拡大レンズ部として凸レンズを形成する場合で説明したが、フレネルレンズで構成しても良く、キャップ本体の天面部の厚みを薄くすることができる。
【図面の簡単な説明】
【００３８】
【図１】この考案のエアゾール容器用のキャップの一実施の形態にかかる平面図および断面図である。
【図２】この考案のエアゾール容器用のキャップの他の一実施の形態にかかる平面図および断面図である。
【図３】この考案のエアゾール容器用のキャップのさらに他の一実施の形態にかかる概略斜視図および部分斜視図である。
【符号の説明】
【００３９】
１０、２０，３０    エアゾール容器用のキャップ
１１                キャップ本体
１１ａ              天面部
１２                先端外周部
１３、２１          拡大レンズ部
３１、３３          切り取り部
３２                取っ手
【図１】
0003102325.tif 000003
【図２】
0003102325.tif 000004
【図３】
0003102325.tif 000005